(57)【要約】【課題】獣捕獲用“くくりわな”は“わな”のループを収束させる引きがねとなる部分の現場における設定細工作業が複雑で経験技術を要し、設置時の事故を起こす危険がある。又、水中では使用不可である等設置場所が限定されるし、同装置の状態を遠方から安置出来ない。【解決法】“くくりわな”の作動部分を、作成機器として製作する事により現場合わせ部分を無くし、一体とした“獣くくりわな装置”を作成する。又、“獣くくりわな装置“にＷＷＷネットワークに接続したネットワークカメラ等をシステムに組み込んだ”獣くくりわな装置“を作成する。此等の事により設置場所は水中等の場所にても可能になり、容易に設置出来て事故も少なくなり、遠方から監視出来て獣体をいためず獣捕獲確立の高い、獣捕獲対応の“獣くくりわな装置”を造る。【選択図】図１
2004057174.tif 000002
【特許請求の範囲】
【請求項１】
猪等の獣がその足で過重をかけ踏み込む事により、獣足の下に仕掛けられた緊張の状態にセットされた平板等の仕掛けが移動し、
その動きと連動していてバネ等を圧縮して運動量を貯めこみ、緊張を解放されると獣罠を締めつけて獣を捕らえる事を特徴とする“獣くくり罠装置”。
【請求項２】
垂直に立て固定された円形等のパイプ筒で、その中に下方移動可能な網等の平板（以後、移動平板と云う）を取りつけてあり、
移動平板は水平に保ち又下方に落ち込まないように一方を２箇所等仕掛筒に針がね等で高さ固定され、対応する反対側には一体固定された針がね等の端部を持つ、
針がね等の端部は仕掛筒の側の一部を切りぬいた外側に持出し、パイプ筒の外部に設置された下方移動可能な金輪等に引っ掛け高さ固定する構造を持つパイプ筒の、
捕獲獣がパイプ筒の中の移動平板を上方より押さえることによって上記、パイプ筒の外部にあり、移動平板を水平仮固定している金輪等を下方に移動させる事を特徴とする“仕掛筒”部分と、
バネ等を圧縮して運動量を貯めこみ、仕掛け筒の動きによって緊張を解放されると獣罠を締めつけて獣を捕らえる事を特徴とする“獣くくり罠装置”。
【請求項３】
垂直に立て固定された円形等のパイプ筒で、その中に下方移動可能な網等の平板（以後、移動平板と云う）を取りつけてあり、
移動平板は水平に保ち又下方に落ち込まないように一方を２箇所等仕掛筒に針がね等で高さ固定され、対応する反対側には一体固定された針がね等の端部を持つ、
針がね等の端部は仕掛筒の側の一部を切りぬいた外側に持出し、パイプ筒の外部に設置された下方移動可能な金輪等に引っ掛け高さ固定する構造を持つパイプ筒の、
捕獲獣がパイプ筒の中の移動平板を上方より押さえることによって上記、パイプ筒の外部にあり、移動平板を水平仮固定している金輪等を下方に移動させる事を特徴とする“仕掛筒”部分と、
長尺及び短尺２個のパイプの各々パイプ一端に、中心部にロープが挿通する穴を開けたキャップ等を取りつけ、キャップ蓋側をお互い外側にし、長尺パイプの中に短尺パイプを挿入する形で重合させ，
弾性鋼のゼンマイを重合するパイプの中に圧縮挿入し、尚パイプの中心に撚鋼線のロープを遊動に挿通し、
長尺パイプ側通抜したロープには、パイプ移動に対応する可動ストッパーを取りつけ、パイプのロープ端部方向移動を固定して、
弾性鋼ゼンマイを圧縮しパイプを重合装着した状態で、短尺パイプの蓋側端部に近く取着させた先端に金輪を持つ剛な“固定ピン”の金輪の穴と、長尺パイプの蓋側端部近くに一端を固定取着し長さが上記金輪迄で端部にループを持つ“引き金細柔剛線ループ”の各穴を重合させて、固定ピン側から“へ字型安全ピン”の一辺を挿通入する、
“へ字型安全ピン”の他方一辺は上記引き金細柔剛線を挿通した止金輪に挿通して安全装置とし、
止金輪を“へ字型安全ピン”の下方抜逃側に“止め輪移動用の金具”等で移動させる事によって、安全装置としてある止金輪が“へ字型安全ピン”から抜逃脱落し、圧縮制約を解除した弾性鋼ゼンマイの伸長力により長尺パイプは瞬発的にストッパーに当る、
同時に、短尺パイプは“わな”の結び目を押上し弾性鋼ゼンマイを圧縮短縮した長さ分だけ移動して“わな”の直径を瞬時素早く縮小し“わな”を引き締めて捕獲目的の獣の足等をロープに結び付ける事を特徴として、
獣を捕らえる事を特徴とする“獣くくり罠装置”。
【請求項４】
捕獲獣の動きに連動し、スイッチとして稼働開始するＷＷＷのウェブ上にあるネットワークカメラや各種携帯端末機器等を装置として持つ事を特徴とする、請求項３記載等の獣くくりわな装置（以後、“獣捕獲システム装置”とも云う）。
【発明の詳細な説明】
【０００１】
【発明の属する技術分野】
本考案は捕獲動物の通り道上に、くくりわな装置のくくりわなのループを拡大しておき、そのわなの下に仕掛つつを設置しておく。獣道上に設置された仕掛筒に捕獲動物の足が踏み込まれると、くくりわな装置の働きで踏み込んだ動物の脚をわなで締め付けて、くくりわな機可動ロープの端部を固定してある付近の樹木等からロープの長さの範囲内でしか捕獲動物は動く事が出来なくなり、その結果捕獲する事が出来る、又その映像をインタネットのネットワークカメラで遠方より監視している、等に関する。
【０００２】
【従来の技術】
従来の獣捕獲用くくりわな”は、“くくりわな”を作動させる引き金となる部分が糸等で施工されていて、装置セットになっていなかったので、現場合わせで作成していたり複雑であり、特殊な技術を要した。
【０００３】
従来の“獣捕獲用くくりわな”は、水の中では設置できない等設置場所が限定されていたし、“わな”設置場所選択の技術、設置の技術、等は複雑であったので誰でもが設置出来ると言うことが出来なかったし、設置時の事故につながることがあった。
【０００４】
従来の“獣捕獲用くくりわな”は、遠方から獲物捕獲時のサインを探知する事が出来なかったり監視カメラの装置操作が難易であったので、無駄な交通労力を必要としたりカメラ装備装置が容易でなかったので、獲物捕獲を容易に確認する事が出来なかったり、健康体で確保する事が出来なかった。
【０００５】
【発明がが解決しようとする課題】
そこで、本考案は、上記問題点に鑑み、獣捕獲わなの作動部分を装置機器として設置方法を簡略化し、なおかつ設置場所を水の中等でも出来るようにすることである。
捕獲場所の状態を、インタネットを通じて遠方から監視出来る装置を作成する事である。
【０００６】
【課題を解決する為の手段】
請求項１の発明は、
猪等の獣がその足で過重をかけ踏み込む事により、獣足の下に仕掛けられた緊張の状態にセットされた平板等の仕掛けが移動し、
その動きと連動していてバネ等を圧縮して運動量を貯めこみ、緊張を解放されると獣罠を締めつけて獣を捕らえる事を特徴とする“獣くくり罠装置”である。
【０００７】
請求項２発明は、
垂直に立て固定された円形等のパイプ筒で、その中に下方移動可能な網等の平板（以後、移動平板と云う）を取りつけてあり、
移動平板は水平に保ち又下方に落ち込まないように一方を２箇所等仕掛筒に針がね等で高さ固定され、対応する反対側には一体固定された針がね等の端部を持つ、
針がね等の端部は仕掛筒の側の一部を切りぬいた外側に持出し、パイプ筒の外部に設置された下方移動可能な金輪等に引っ掛け高さ固定する構造を持つパイプ筒の、
捕獲獣がパイプ筒の中の移動平板を上方より押さえることによって上記、パイプ筒の外部にあり、移動平板を水平仮固定している金輪等を下方に移動させる事を特徴とする“仕掛筒”部分と、
バネ等を圧縮して運動量を貯めこみ、仕掛け筒の動きによって緊張を解放されると獣罠を締めつけて獣を捕らえる事を特徴とする“獣くくり罠装置”である。
【０００８】
請求項３の発明は、
垂直に立て固定された円形等のパイプ筒で、その中に下方移動可能な網等の平板（以後、移動平板と云う）を取りつけてあり、
移動平板は水平に保ち又下方に落ち込まないように一方を２箇所等仕掛筒に針がね等で高さ固定され、対応する反対側には一体固定された針がね等の端部を持つ、
針がね等の端部は仕掛筒の側の一部を切りぬいた外側に持出し、パイプ筒の外部に設置された下方移動可能な金輪等に引っ掛け高さ固定する構造を持つパイプ筒の、
捕獲獣がパイプ筒の中の移動平板を上方より押さえることによって上記、パイプ筒の外部にあり、移動平板を水平仮固定している金輪等を下方に移動させる事を特徴とする“仕掛筒”部分と、
長尺及び短尺２個のパイプの各々パイプ一端に、中心部にロープが挿通する穴を開けたキャップ等を取りつけ、キャップ蓋側をお互い外側にし、長尺パイプの中に短尺パイプを挿入する形で重合させ，
弾性鋼のゼンマイを重合するパイプの中に圧縮挿入し、尚パイプの中心に撚鋼線のロープを遊動に挿通し、
長尺パイプ側通抜したロープには、パイプ移動に対応する可動ストッパーを取りつけ、パイプのロープ端部方向移動を固定して、
弾性鋼ゼンマイを圧縮しパイプを重合装着した状態で、短尺パイプの蓋側端部に近く取着させた先端に金輪を持つ剛な“固定ピン”の金輪の穴と、長尺パイプの蓋側端部近くに一端を固定取着し長さが上記金輪迄で端部にループを持つ“引き金細柔剛線ループ”の各穴を重合させて、固定ピン側から“へ字型安全ピン”の一辺を挿通入する、
“へ字型安全ピン”の他方一辺は上記引き金細柔剛線を挿通した止金輪に挿通して安全装置とし、
止金輪を“へ字型安全ピン”の下方抜逃側に“止め輪移動用の金具”等で移動させる事によって、安全装置としてある止金輪が“へ字型安全ピン”から抜逃脱落し、圧縮制約を解除した弾性鋼ゼンマイの伸長力により長尺パイプは瞬発的にストッパーに当る、
同時に、短尺パイプは“わな”の結び目を押上し弾性鋼ゼンマイを圧縮短縮した長さ分だけ移動して“わな”の直径を瞬時素早く縮小し“わな”を引き締めて捕獲目的の獣の足等をロープに結び付ける事を特徴として、
獣を捕らえる事を特徴とする“獣くくり罠装置”である。
【０００９】
請求項４の発明は、請求項３の“獣くくりわな装置”の捕獲獣の動きに連動した同装置の動きや、獣の動きの映像等がスイッチに対応しスイッチとして稼働開始し又常時稼働する、ＷＷＷのウェブ上にあるサーバカメラと組み合わせセットとする等の、獣捕獲監視システムを備えた“獣くくり罠装置”である。
【発明の実際の形態】
本発明の、一つの実施の形態としては、下記の通りである。
【００１０】
（第１の手順）
獣の足をとらえて“獣くくりわな装置“の“仕掛筒“の機能を作動させる。
【００１１】
（第２の手順）
“獣くくりわな装置“の”獣くくりわな機“の安全装置を解除する。
【００１２】
（第３の手順）
“　獣くくりわな機”の安全装置が解除され、ロープのループ部分のサイズを縮小して、
獣の足等をロープで捕らえ、ロープのもう一方の端部を装置設置場所の付近にある固定した部分等と結びつけて、獣の動きを限定する事により獣を捕獲する。
【００１３】
（第４の手順）
獣捕獲しかけ“獣くくりわな装置“等の動きがインタネットのネットワークカメラで映像として放映され、遠方よりその映像を監視する。
【００１４】
【実施例】
（本発明の実施例の前提となる構成）
【００１５】
図１は請求項３の“獣くくりわな装置”の実施例であり、捕獲動物（猪）が今まさに“わな”に足を踏み入れようとする瞬間を記載している。
猪は仕掛筒１０６の上にしかけた、“獣くくりわな機”２００のわな２０４の中に足を踏み入れ、“仕掛筒”の移動平板１０４を踏みつけようとしている。
【００１６】
移動平板は上から押し下げられた瞬間に、連動しているくくりわな機の安全装置を解除する。
“獣くくりわな機“は内部に設置されたゼンマイの弾性力によって伸び切り、わな２０４を締め付け、猪の足を捕らえ、縛り捕獲するのである。
【００１７】
縛り捕獲された猪の可動運動範囲は、逃抑ロープ２２３を結わえ固定された付近の立ち木等からの距離に限定される。
【００１８】
移動平板の動き等とサーバカメラ等の各種の情報端末機器を連動しておけば、捕獲動物を遠隔地から探知する事が出来る。
各種の情報機器とは、携帯電話機器の電話であり、インタネットメイル機器であり、又ネットワーク（サーバ）カメラ等（インタネット上で作動するネットワークカメラでありサーバー機能を備えたカメラ）である。
各種の情報機器の作動スイッチに連動させるのも尚よく、瞬時に映像がＷＷＷのネットワークに送られ、その画像を取り込んだホームページより捕獲動物の確認が瞬時に可能になる。
【００１９】
わな設置場所は、捕獲動物の獣道上に設置されるが、地面でも良いし、池や川の中等の水中でも可能である。
【００２０】
捕獲動物の種類や、捕獲場所によってくくりわな装置の構造、サイズ等は設計製作される。
【００２１】
（仕掛筒の構造及び実施例）
図２は、下記に説明する“獣くくりわな装置”の仕掛筒部分の構造図を示す。１００は地面（ＧＬ）、１０１は垂直断面図、１０２は立面図、１０３は平面図である。わな２０４は“くくりわな機”のロープ先端に取り付けたわなであり、１０６筒よりループ寸法が大きい事が基本である。
【００２２】
２０４わな及び１０６仕掛筒は土中に埋没されている場合もあるが、そうでない場合もあり、落ち葉や枝等で粉飾し捕獲動物に探知されない工夫がなされる。
又設置場所は水中の水底土中にしかけられる場合もある。
【００２３】
捕獲目的の獣の通路上に１０６“仕掛筒”を垂直に設置した図であり、金網等で造られた１０４移動平板は、水平的に安定させる為一方を鎖等の水平板釣り備品１０５金具を取りつけて１０６筒の上方に近い１０７場所等で２ヶ所高さ固定されている。
【００２４】
１０４移動平板を安定させる他方端に近く、針がね等で造られた１０８可動水平安定ピンが１０９筒切り抜きスペースをつきぬけて、筒の外部にはね出していて先端部は下方に屈折し仮固定された１１０水平の金輪に輪通され高さ固定されている。
１０９切りこみの形状高さは１０６水平安定端部移動する１１０水平板可動半径より大きく巾は１０８可動水平安定ピンより広くて、動きに制約がなければ良い。
【００２５】
１０６筒に水平にセットされた１０４移動平板は、獣等の捕獲獲物の足等で上方から押されると１０５釣り部品で一方を固定されているので、１０４移動平板の反対位地に下方移動可能の仮高さ固定させてある１０８可動水平安定ピンを瞬時に下方移動させる動きとなる。
【００２６】
１０６仕掛筒は、地上に出ている場合もあるし、地面に埋没されている場合もあるし、又川や池等水中の水底の土中に埋没される場合もあるし水底から上方部分が水中に出ている場合等もあり、捕獲動物の通路上に設置される。
落ち葉や樹木の枝等で捕獲動物に探知されないように粉飾すると尚良い設置方法である。
【００２７】
１０６筒は円形の場合部あるし、四角等の場合もあり、製作材料は樹脂製品の場合もあるし金属性等の場合もある。筒の下方側は蓋で閉じていても良いし、閉じていなくてもよい。
１０４移動平板の高さ固定は、筒の形状による等によって、１箇所の場合もあるし多数ヶ所の場合もある。
１０４移動平板の形状は円形の場合もあるし、その他の形状の場合もある。
１０５釣り部品は、鎖金具の場合もあり又糸等の場合もあるし、下方から丁番等の方法で高さ固定される場合等もある。又下方移動可能な水平板置き台等の場合もある。
【００２８】
（くくりわな機の構造及び実施例）
図３は請求項３記載の、“獣くくり罠機”部分の実施例であり、その断面図である。以下の項目で構造及び作動の実際を説明する。
【００２９】
２００“獣くくりわな機”は仕掛け筒と一体として設置される。設置方法は仕掛筒と同様であるりる。
【００３０】
（くくりわな機の構造）
図３の図面に基づいて説明する。
図３の“２００獣くくりなわ機“は第２の手順２０１安全装置部分と、第３の手順”くくりなわ機“の２０３くくりわな本体部分より構成している。
【００３１】
２０３くくりなわ本体部分は下部に位置する２０５長尺パイプ部分と、その中に収納される上部に位置する２０６短尺パイプ部分に構成されていて、その中に圧縮され収納された２０７弾性鋼ゼンマイ、及び中心に遊動に挿通された撚鋼線で構成された２２１捕獲ロープ部分より構成されている。
【００３２】
２０６短尺パイプは中央にロープを通す穴を開けた２０９キャップ部分と２１０パイプより構成され、両者は固定されていて、２０５長尺パイプも同様である。
２０６短尺パイプの長さは２０７弾性鋼ゼンマイを圧縮しパイプ挿入装着時に安定して２０５長尺に収まる長さであり、２０７弾性鋼ゼンマイを装着する動作が適切に出来る長さを基準として採用される。
【００３３】
２０５長尺パイプの長さは２０６短尺パイプを収納し、２０７弾性鋼ゼンマイを各パイプに収納した時の長さより決定される。
【００３４】
２０７弾性鋼ゼンマイの長さ及び強さは、安全装置が解除され、伸び切った時、獣捕獲ロープの先端ループ部分が、捕獲に適したサイズに縮小し捕獲獣の足等が、獣の脱ロープ動作で抜けない強さで締め付ける作業を適切に行う長さであり、バネの強さである。又バネ装着者が安易に圧縮装着出来る強さであり長さである。
【００３５】
２０１安全装置部分は、２０６短尺パイプのロープ側端部に近く固定されている。
【００３６】
２０１安全装置部分の２１２安全ピンは“く”の字型をしていて、上方一辺はゼンマイ圧縮時の圧縮サイズ固定用の２１５長尺パイプ端部に一端を固定した２１３引き金用ロープの２１７ループ、及び短尺パイプに固定し取りつけられた２１４針がねループ、を重合挿通していて、下方一辺は引き金用ロープを輪通しした２１６止金輪を挿通して固定装着される。
【００３７】
２１６止金輪には、仕掛筒部品である１０６可動水平安定ピンの下方曲端が挿通してセットしてある。
【００３８】
（くくりなわ機の作動の実施例）
２００“獣くくりわな機”は、１０４仕掛つつ（図２記載）の１０８可動水平安定ピンの下方動に連動し、安全装置が解除して作動する。
下記項目で図面に従って実際を説明する。
【００３９】
図３において、２０１安全装置部分の仕掛筒の１０５下方水平ピンが下方移動すると、２１６止金輪が下方連動移動し、２１２安全ピンは解放され、２１７ループで２１２安全ピンに仮固定してある２１３引き金用ロープが解除される。
【００４０】
２０７弾性鋼ゼンマイは制約を解除され弾揆力により２０５長辺パイプを２２０ストッパー（可動式）に押しやり、２０６短辺パイプは２２１捕獲ロープ部分に沿って飛び、ロープを引っ張ると同時に２０４わなの結び目を押し上げわなを引絞り野獣を絞捕獲する。
【００４１】
（捕獲ロープ及びゼンマイの実施例）
捕獲ロープは、２０４わな、２２１捕獲ロープ部分、ス２２０トッパー、２２２より戻し、２２３逃抑ロープ等によって構成されている。
【００４２】
２２１弾性鋼ゼンマイの弾揆力が捕獲獲物の足等の引き締めを破壊する程強力である場合、２０４捕獲対応ロープと２２１弾性鋼ゼンマイの合計長さは、ゼンマイの弾性力解放伸びきり長さＸに合わせ、移動可能な２２０ストッパーの位地を決定して、ゼンマイ長さＸに対し余剰の部分に２０４わなの引絞り寸法を決定する。
【００４３】
わな径は獲物により異なるが、捕獲目的の獣の足径サイズに合わせる。捕獲獲物を絞り捕獲出来る。
【００４４】
２０７弾性鋼ゼンマイの弾性力が弱い場合は、ゼンマイの伸びきり長さＸ以内で仕掛筒対応ロープ部分の長さと、わな長さの合計長さを決定しておけば、捕獲獲物を強固に締め付け捕獲出来る。
【００４５】
捕獲獲物、捕獲場所によって上記の条件設定を適切に決定設定し、また逃抑ロープ２２３の長さ等も決定する。各ロープの種類、強度等も同様に決定する。仕掛筒のサイズ、強度等も同様に決定する。
【００４６】
２２３逃抑ロープの固定は、くくりわな装置の設置場所付近の立ち木でも良いし岩等の固定物等でもよい。
【００４７】
図４を説明する
図４は、図３に説明したくくりわな機の２０７弾性鋼ゼンマイを解放した図であり、２０６短尺筒、２０５長尺筒と２０７弾性鋼ゼンマイの関係を示す。
又、２０４獲物捕獲わな、２２１ロープ、２２０ストッパー（可動式）、２２２より戻し、２２３逃抑ロープの関係を示す明細図でもある。
【００４８】
図５を説明する。
図５は、仕掛筒の実施例の設計図である。
各材料の明細及び寸法を示す図である。
【００４９】
図６を説明する。
図６は、図５で記述した仕掛筒の実際例の明細図であり、細部部品の詳細図でもある。
【００５０】
図７を説明する。
図７は、請求項４記載の、獣捕獲システムを備えた“獣くくり罠装置”（獣捕獲システム装置）図である。
【００５１】
１５０獣捕獲システム装置を作成したユーザーＸの１５１ネットワークカメラが、１００獣くくりわな装置を含む風景をカメラ被写体としていて、そのカメラ被写体内で１６０捕獲獣（猪）が今、まさにワナに足で反応しようとしている図である。
【００５２】
１６０捕獲獣（猪）の動きが１００獣くくりわな装置に反応すると１００くくりわな装置の１０６仕掛筒の１８０仕掛けつつ連動スイッチ作動図に示すように、１０４平板の動きが１８１電気スイッチを反応させ１８２電気コードを通じて１５１サーバカメラ作動の、スイッチとなりインタネットがＷＷＷに接続し、撮影写真画像をユーザーＸ１５４サーバの所定の１５５画像保存フアイルに撮影画像を連続コマ送り画像等としてアップロードする。
【００５３】
アップロードされた画像は、ユーザーＸの“獣くくりわな装置“専用のインタネットホームページを通じてＷＷＷに配信さる。
そのホームページを通じてユーザーＸの１５９自宅の１５６パソコンや１５７Ｉモード携帯端末等や屋外での１５８Ｉモード端末のウェブ画面等で、１００獣くくりわな装置の動きや獲物捕獲の映像を探知する獣監視システムを備えた“獣くくりわな装置”図である。
【００５４】
上記獣捕獲システムにおいて、１５１サーバカメラには、電源を常時入れておき、カメラ性能としてカメラ視野内の動きを捕らえて自動的に撮影映像をアップロードする機能を作動させてもよいし、常時撮影映像をインタネット配信するように設定しておいてもよい。
【００５５】
又、“獣くくりわな装置“の作動の動きを、携帯電話の稼働スイッチに連動させていて、所定の連絡先に電話配信する形でもよいし、カメラ内臓Ｉモード携帯の電源スイッチと連動させ自動的に撮影させ画像を所定の連絡先にメール送信してもよいし、所定のザーバの所定フアイルに画像アップロードさせることによって、インタネット配信等してもよい。
【００５６】
１００獣くくりわな装置の構造は、猪、ウサギ等捕獲獲物の種類によってかわればよいし、獲物捕獲場所等の状態によってもかえればよい。
【発明の効果】
獣捕獲の、“獣くくりわな装置”の設置がシンプルに出来て、水中等でも可能になる。尚、請求項４記載の獣捕獲監視システムを備えた“獣くくりわな装置”は“獣くくりわな装置”の設置状態を確認する事にもなし、獣捕獲の状態を素早く探知出来て獣捕獲率を高め、捕獲獣体の健康的安全性をも高める。
【図面の簡単な説明】
【図１】くくりわな装置の、現場における実際図である。
【図２】くくりわな装置の、仕掛筒の詳細図である。
【図３】くくりわな装置の、くくりわな機の実施セットした時の詳細図である。
【図４】くくりわな装置の、くくりわな機の実施セットを解除した時の詳細図である。
【図５】仕掛筒設計図
【図６】獣捕獲装置図（獣捕獲システム装置図）
【図７】獣監視システムを備えた、獣くくりわな装置図
【符号の説明】
１００　　獣くくりわな装置
１０１　　仕掛筒の断面図
１０２　　仕掛筒の立面図
１０３　　仕掛筒の平面図
１０４　　　　：　移動水平板
１０５　　　　：　水平板釣り部品
１０６　　　　：　筒
１０７　　　　：　上方に近い場所
１０８　　　　：　可動水平安定ピン
１０９　　　　：　切り取り部分
１１１　　　　：　金輪
１３０　　仕掛筒の設計図
１３１　　仕掛筒詳細図
１５０　　獣監視システムを備えた、獣くくりわな装置
１５１　　サーバカメラ（ネットワーク）
１５２　　インタネット接続サーバ
１５３　　インタネットＷＷＷ
１５４　　ユーザーＸ用サーバ
１５５　　画像保存フアイル
１５６　　パソコン
１５７　　Ｉモード携帯端末
１５８　　ユーザーＸＩモード携帯端末
１５９　　ユーザーＸ自宅、又は外部ユーザー自宅等
１６０　　捕獲動物（猪等）
１８０　　仕掛筒連動スイッチ作動図
１８１　　電気スイッチ
１８２　　電気コード
２００　　実施可能なようにゼンマイを圧縮装着した時のくくりわな機の詳細図
２０１　　くくりわな機の安全装置部分
２０３　　　　：　　　　本体部分
２０４　　　　：　　　　ロープ先端のわな（獣捕獲部分）
２０５　　　　：　　　　長尺パイプ部分
２０６　　　　：　　　　短尺パイプ部分
２０７　　　　：　　　　弾性鋼ゼンマイ
２０８　　　　：　　　　捕獲ロープ部分
２０９　　　　：　　　　短尺パイプのキャップ部分
２１０　　　　：　　　　短尺パイプのパイプ部分
２１２　　獣くくりわな機の安全装置部分の安全ピン
２１３　　　　：　　　　引きがね用ロープ
２１４　　　　：　　　　安全装置部分の短尺パイプに取りつけられた針がねループ
２１５　　　　：　　　　引きがね用ロープの長尺パイプ固定端
２１６　　　　：　　　　安全装置部分の止金輪
２１７　　　　：　　　　引きがね用ロープのループ
２２０　　　　：　　　　ストッパー（可動式）
２２１　　　　：　　　　捕獲ロープ部分
２２２　　　　：　　　　より戻し金具
２２３　　　　：　　　　逃抑ロープ
【図１】
2004057174.tif 000003
【図２】
2004057174.tif 000004
【図３】
2004057174.tif 000005
【図４】
2004057174.tif 000006
【図５】
2004057174.tif 000007
【図６】
2004057174.tif 000008
【図７】
2004057174.tif 000009